(57)【特許請求の範囲】
【請求項１】
浴槽と洗い場パンとが設置面上に並設され、前記浴槽の洗い場パン側に張り出したフランジと前記洗い場パンの浴槽側に設けられた堤防部との間がバスエプロンで閉塞されている浴室ユニット構造において、
該バスエプロンと浴槽側壁との間を前記設置面側から立ち上がる給湯給水管を構成する複数の管部を接続する接続部と、
前記浴槽側壁に貫設された配管器具と、
水受け面とこれを囲む立上がり片とからなるトレー状の水受けパンと
を備え、
該水受けパンは、前記水受け面が前記接続部及び配管器具の直下を通るように配置され、前記接続部及び配管器具から漏れた湯水を同時に受け止めることができるようにしてあり、
前記バスエプロンは、洗い場パン側から浴槽側に貫通する閉塞自在な点検口を備え、
前記水受けパンは、前記立上がり片の一部を切り欠いた部分から突出する突片を更に備え、
前記水受けパンは、前記突片が前記点検口の下端縁に掛かるように前記バスエプロンと浴槽側壁との間に掛け渡されて、前記点検口付近で流れ落ちる湯水を受け止めることができることを特徴とする浴室ユニット構造。
【請求項２】
浴槽と洗い場パンとが設置面上に並設され、前記浴槽の洗い場パン側に張り出したフランジと前記洗い場パンの浴槽側に設けられた堤防部との間がバスエプロンで閉塞されている浴室ユニット構造において、
該バスエプロンと浴槽側壁との間を前記設置面側から立ち上がる給湯給水管を構成する複数の管部を接続する接続部と、
前記浴槽側壁に貫設された配管器具と、
水受け面とこれを囲む立上がり片とからなるトレー状の水受けパンと
を備え、
該水受けパンは、前記水受け面が前記接続部及び配管器具の直下を通るように配置され、前記接続部及び配管器具から漏れた湯水を同時に受け止めることができるようにしてあり、
前記配管器具より下方の浴槽側壁から浴槽底部を囲繞するように取り付けられる浴槽下部保温材と、
該浴槽下部保温材の厚み面をなす上端面の全周に亘って刻設された、浴槽側壁を囲むように溝を形成する溝形成部とを更に備え、
前記水受けパンは、前記立上がり片の一部に形成された切欠部の端縁が、前記溝形成部の上方に配置され、前記接続部及び配管器具から漏れた湯水を受け止めて前記切欠部に導くための排水勾配が前記水受け面に形成されていることを特徴とする浴室ユニット構造。
【請求項３】
前記溝形成部は、最下流部分に排水路が設けてあり、
該排水路は、前記洗い場パンの洗い場面又は該洗い場面の下面側に配設された排水トラップまで連通していることを特徴とする請求項２に記載の浴室ユニット構造。
【請求項４】
前記水受けパンは、前記水受け面の一部に形成された開口部を更に備え、
該開口部は、前記給湯給水管が前記設置面側から上方に貫通し、その隙間が弾性力を有する立上がりブーツにより水密にされていることを特徴とする請求項１乃至３のいずれかに記載の浴室ユニット構造。
【発明の詳細な説明】
【技術分野】
【０００１】
本発明は、浴槽と洗い場パンとが設置面上に並設され、浴槽の洗い場パン側に張り出したフランジと洗い場パンの浴槽側に設けられた堤防部との間がバスエプロンで閉塞されている浴室ユニット構造に関する。
【背景技術】
【０００２】
従来、浴槽、洗い場パン、壁パネル及び天井パネルなどの部品が工場において成型され、部品が現場に搬入された後、完成品として組み立てられる浴室ユニットがある。浴室ユニットは、設置面上に支持された床パンに浴槽を載せるフルパネルタイプと、浴槽と床パンとを設置面上に並べて設置するハーフパネルタイプとに大別される。ハーフパネルタイプの浴室ユニットは、フルパネルタイプのものより部品点数を抑えることができるため、ホテル、マンション及び一般住宅などで広く採用されている。
【０００３】
浴室ユニットの浴槽には、追い焚きやジェット噴流などの多機能化に伴い、追い焚き用アダプタやジェット噴流装置などの配管器具が取り付けられている。また、浴槽の近傍には、給湯給水管などの配管が配置されている。配管器具や配管の接続部からは、湯水が漏れ出すおそれがあり、例えば、漏れた湯水が設置面に流れ落ちて階下に漏れるおそれがある。
【０００４】
かかる事態において、フルパネルタイプの浴室ユニットは、浴槽を載置する防水パンにより湯水を受け止め、設置面への落水を阻止することができる。これに対して、ハーフパネルタイプの浴室ユニットは、浴槽の下方に防水パンが配置されていないため、湯水を受け止めることができず、設置面への落水を阻止することができない。
【０００５】
そこで、従来、漏れた湯水を受け止める水受け部材を漏水危険箇所に取り付けたハーフパネルタイプの浴室ユニット構造が提案されている（例えば、特許文献１乃至特許文献３）。
【先行技術文献】
【特許文献】
【０００６】
【特許文献１】特開２００３−０５２５６１号公報
【特許文献２】特開２０１０−１４２３９２号公報
【特許文献３】特開２００９−１８９４５２号公報
【発明の概要】
【発明が解決しようとする課題】
【０００７】
しかしながら、先に提案された特許文献１の発明にあっては、水受け部材が、追い焚き用配管や噴流用配管などの漏水危険箇所に個別に取り付けられているため、部品点数が多くなる。
【０００８】
また、先に提案された特許文献２の発明にあっては、浴槽側壁の下部に溝形成部を設けておき、この溝形成部により、浴槽側壁上の追い焚き用配管から漏れた湯水を受け止めるようにしてある。そのため、浴槽側壁から離れた位置に配置されている給湯給水管の接続部については別途対処方法が必要となる。
【０００９】
また、先に提案された特許文献３の発明にあっては、浴槽側壁から離れた位置に配置されている給湯給水管の接続部の下方にトレー状の水受けパンが設置され、接続部から漏れた湯水を受け止めるようにしてある。そのため、浴槽側壁上の追い焚き用配管などについては別途対処方法が必要となり、仮に対処した場合であっても、浴槽側壁回りの部品点数が多くなり、頻雑な構造となる。
【００１０】
更にまた、バスエプロンの一部に設けた点検口とこれを閉塞するエプロン蓋との隙間から湯水が浸水した場合、先に提案された発明では、対処することができない。
【００１１】
本発明はかかる事情を鑑みてなされたものであり、トレー状の水受けパンを、浴槽側壁に貫設された配管器具、及び、浴槽側壁とバスエプロンとの間に配置された給湯給水管の接続部の直下を通るように配置することにより、ハーフパネルタイプの浴室ユニットであっても、少ない部品点数で多数の漏水危険箇所からの漏水を受け止めることができ、組立工数を抑えるとともに費用コストを抑えることができる浴室ユニット構造を提供することを目的とする。
【課題を解決するための手段】
【００１２】
本発明に係る浴室ユニット構造は、浴槽と洗い場パンとが設置面上に並設され、前記浴槽の洗い場パン側に張り出したフランジと前記洗い場パンの浴槽側に設けられた堤防部との間がバスエプロンで閉塞されている浴室ユニット構造において、該バスエプロンと浴槽側壁との間を前記設置面側から立ち上がる給湯給水管を構成する複数の管部を接続する接続部と、前記浴槽側壁に貫設された配管器具と、水受け面とこれを囲む立上がり片とからなるトレー状の水受けパンとを備え、該水受けパンは、前記水受け面が前記接続部及び配管器具の直下を通るように配置され、前記接続部及び配管器具から漏れた湯水を同時に受け止めることができるようにしてあり、前記バスエプロンは、洗い場パン側から浴槽側に貫通する閉塞自在な点検口を備え、前記水受けパンは、前記立上がり片の一部を切り欠いた部分から突出する突片を更に備え、前記水受けパンは、前記突片が前記点検口の下端縁に掛かるように前記バスエプロンと浴槽側壁との間に掛け渡されて、前記点検口付近で流れ落ちる湯水を受け止めることができることを特徴とする。
【００１３】
本発明にあっては、トレー状の水受けパンを浴槽側壁に貫設された配管器具と、浴槽側壁とバスエプロンとの間に配置された給湯給水管の接続部との直下を通るように配置することにより、少数の水受けパンが少なくとも配管器具及び給湯給水管の接続部から漏れた湯水を同時に受け止める。その結果、水受け部材の部品点数を抑えることができるので、組立工数を抑えることができ、費用コストを抑えることができる。
【００１５】
また、本発明にあっては、トレー状の水受けパンの立上がり片の一部を切り欠き、切り欠いた部分から突片を突き出させることにより、水受けパンを支えるための引っ掛け部を設ける。また、この突片をバスエプロンの点検口の下端縁に掛けることにより、水受けパンがバスエプロン側に支持固定される。また、水受けパンをバスエプロンと浴槽側壁との間に掛け渡すことにより、バスエプロンの点検口から浴側側壁に臨む点検口付近で流れ落ちた湯水を水受けパンが受け止める。
【００１６】
また、本発明に係る浴室ユニット構造は、浴槽と洗い場パンとが設置面上に並設され、前記浴槽の洗い場パン側に張り出したフランジと前記洗い場パンの浴槽側に設けられた堤防部との間がバスエプロンで閉塞されている浴室ユニット構造において、該バスエプロンと浴槽側壁との間を前記設置面側から立ち上がる給湯給水管を構成する複数の管部を接続する接続部と、前記浴槽側壁に貫設された配管器具と、水受け面とこれを囲む立上がり片とからなるトレー状の水受けパンとを備え、該水受けパンは、前記水受け面が前記接続部及び配管器具の直下を通るように配置され、前記接続部及び配管器具から漏れた湯水を同時に受け止めることができるようにしてあり、前記配管器具より下方の浴槽側壁から浴槽底部を囲繞するように取り付けられる浴槽下部保温材と、該浴槽下部保温材の厚み面をなす上端面の全周に亘って刻設された、浴槽側壁を囲むように溝を形成する溝形成部とを更に備え、前記水受けパンは、前記立上がり片の一部に形成された切欠部の端縁が、前記溝形成部の上方に配置され、前記接続部及び配管器具から漏れた湯水を受け止めて前記切欠部に導くための排水勾配が前記水受け面に形成されていることを特徴とする。
【００１７】
本発明にあっては、水受けパンの立上がり片の一部を切り欠くことにより、受け止めた湯水を排水するための部分を設ける。また、受け止めた湯水を切欠部分に導くための排水勾配を水受け面に設けることにより、湯水が切欠部に導かれる。また、配管器具の下方の浴槽側壁に溝を形成し、この溝の上方に水受けパンの切欠部の端縁を配置することにより、湯水が切欠部から溝に向かって滝のように流れ落ち、湯水が水受けパンから溢れ出ないようにする。
【００１８】
また、本発明に係る浴室ユニット構造は、前記水受けパンは、前記水受け面の一部に形成された開口部を更に備え、該開口部は、前記給湯給水管が前記設置面側から上方に貫通し、その隙間が弾性力を有する立上がりブーツにより水密にされているように構成してもよい。
即ち、給湯給水管は、立ち上がり方が浴室ユニットの設置場所毎に異なるので、水受けパンに設けた開口部を貫通するように配置される場合がある。このとき、かかる給湯給水管が開口部をスムーズに貫通するように、開口部にゴム製の立上がりブーツを別部品として構成してもよい。
【００１９】
本発明にあっては、水受けパンの一部を開口することにより、設置面から垂直方向に立ち上がる給湯給水管が開口部を貫通するように水受けパンを取り付けることができ、水受けパンを給湯給水管の接続部の直下を通るように配置させることができる。そして、給湯給水管と開口部との隙間を立上がりブーツで水密にする。
【００２０】
また、本発明に係る浴室ユニット構造は、前記溝形成部は、最下流部分に排水路が設けてあり、該排水路は、前記洗い場パンの洗い場面又は該洗い場面の下面側に配設された排水トラップまで連通しているように構成してもよい。
【００２１】
本発明にあっては、溝に勾配を設けておき、勾配の最下流部分に排水路を設けることにより、溝内を流れて最下流部分に到達した湯水が排水路を通って排水される。また、排水路を洗い場パンの洗い場面又は洗い場面の下面側に配設された排水トラップまで連続させることにより、溝から排水された湯水が洗い場面を介して排水トラップへと流れ込むか、又は、排水トラップに直接に流れ込む。
【発明の効果】
【００２２】
本発明に係る浴室ユニット構造にあっては、少数の水受け部材により、浴槽側壁上の配管器具から漏れた湯水と、浴槽側壁から離れた位置に配置されている給湯給水管の接続部から漏れた湯水と、バスエプロンの点検口付近で漏れた湯水とを同時に受け止めることができる。部品点数を抑えることにより、組立工数を抑えることができ、費用コストを抑えることができる。
【図面の簡単な説明】
【００２３】
【図１】本発明に係る浴室ユニット構造が備える水受けパンを示す斜視図である。
【図２】本発明に係る浴室ユニット構造と水受けパンとの取付状態を示す斜視図である。
【図３】本発明に係る浴室ユニット構造と水受けパンとの取付状態を示す図であって、把握しやすいようにバスエプロンを除いた状態の斜視図である。
【図４】本発明に係る浴室ユニット構造と水受けパンとの取付状態を示す部分拡大斜視図である。
【図５】本発明に係る浴室ユニット構造と水受けパンとの取付状態を示す、図２と異なる方向から見た斜視図である。
【図６】本発明に係る浴室ユニット構造が備える溝形成部の最下流付近を示す図である。
【図７】図１とは異なる形態の水受けパンを示す斜視図である。
【発明を実施するための形態】
【００２４】
実施の形態１．
本発明に係る浴室ユニット構造を本実施の形態を示す図面に基づいて以下説明する。図面において、１は、水受けパンである。また、２は、立上げブーツである。水受けパン１は、第１水受け面１０と、第２水受け面１１０と、その周囲を囲む立上がり片１１と、第２水受け面１１０の一部を開口する開口部１２と、立上がり片１１の一部を切り欠いた切欠部１３と、第１水受け面１０から突き出た突片１４とを備えるトレー状の部材である。
【００２５】
第１水受け面１０は、平面視略Ｌの字形をしており、Ｌの字の縦部分に切欠部１３が形成されている。第２水受け面１１０は、第１水受け面１０のＬの字の横部分に接続して水受けパン１全体を平面視略コの字形にしている。第２水受け面１１０の一部には、開口部１４が形成されている。第１水受け面１０及び第２水受け面１１０は、開口部１２及び突片１４付近を上流とし、切欠部１３付近を下流とする排水勾配が形成されている。排水勾配は、開口部１２及び突片１４付近で受け止めた湯水を切欠部１３に流れるように傾斜の角度及び方向が決められている。具体的には、排水勾配は、図１に示す矢印Ａ乃至Ｄのように傾斜が形成されている。尚、矢印Ｂの傾斜と矢印Ｃの傾斜とで谷を形成している。
【００２６】
立上がり片１１は、切欠部１３と突片１４との部分を除き、第１水受け面１０及び第２水受け面１１０の周縁部及び開口部１２の開口縁から垂直方向に立ち上がる。立上がり片１１は、第１水受け面１０及び第２水受け面１１０で受け止めた湯水がこぼれ落ちることを防ぐ。
【００２７】
切欠部１３は、第１水受け面１０のＬの字の縦部分から立ち上がる立上がり片１１の一部が切り欠かれることにより形成されている。また、突片１４は、第１水受け面１０のＬの字の横部分から立ち上がる立上がり片１１の一部が切り欠かれ、その切欠部分から水平方向に突き出ている。
【００２８】
立上がりブーツ２は、開口部１２と同形であって僅かに大径の蓋部２０と、蓋部２０に開けられた配管貫通孔２１と、蓋部２０の周縁部から垂れ下がるリブ２２とを備える。立上がりブーツ２は、リブ２２の内周面が開口部１２の立上がり片１１の外周面にスライド接触して嵌り込み、蓋部２０が開口部１２を閉塞する。配管貫通孔２１は、開口縁から蛇腹部分が伸び出ている。
【００２９】
図面において、３は浴槽である。また、４は洗い場パンである。また、５はバスエプロンである。更にまた、６は給湯給水管である。本発明に係る浴室ユニットにあっては、浴槽３と洗い場パン４とが土台となる設置面（図示せず）に並ぶように設けられ、支持脚により設置面の上方に配置されている。バスエプロン５は、浴槽３と洗い場パン４との間に装着される。給湯給水管６は、バスエプロン５と浴槽３との間の空間に配置される。
【００３０】
浴槽３は、フランジ３０と、浴槽側壁３１と、浴槽側面保護材３２と、浴槽下部保温材３３と、溝形成部３４と、仕切り板３４０と、追い焚き用アダプタ３５と、排水用アダプタ３６とを備える。浴槽３は、本体がガラス繊維強化プラスチックで形成されている。また、浴槽３は、本体の浴槽底部（図示せず）が平面視略四角形の板状となり、この底部の四辺から浴槽側壁３１が立ち上がり、上面が開口している。
【００３１】
フランジ３０は、浴槽側壁３１の上端部から外方に張り出すように形成されている。また、フランジ３０は、その下面にバスエプロン５の上端部を固定するための返しが形成されている。
【００３２】
浴槽側面保護材３２は、平面視略コの字形の発泡スチレン樹脂製の部材であり、洗い場床パン４側を除く三方の浴槽側壁３１を囲むように取り付けられている。また、浴槽側面保護材３２は、フランジ３０と浴槽下部保温材３３との間に嵌り込むように取り付けられ、浴槽３を保護している。
【００３３】
浴槽下部保温材３３は、本体が皿状に形成され、追い焚き用アダプタ３５の取付位置より下方の浴槽側壁３１から浴槽底部を囲繞するように取り付けられて浴槽３を保温する。また、浴槽下部保温材３３は、厚手の発泡スチレン樹脂により形成されている。また、浴槽下部保温材３３は、浴槽側面保護材３２より厚みを有し、その厚み面が上端面となる。浴槽下部保温材３３は、上端面に溝を形成する溝形成部３４を備える。
【００３４】
溝形成部３４は、浴槽下部保温材３３の上端面の全周に亘って設けられており、浴槽側壁３１を囲むように溝を形成している。また、溝形成部３４は、外周側溝壁が内周側溝壁より僅かに高くなって外周側に湯水が漏れ落ちないようにされている。また、溝形成部３４は、一点を最上流部分とし、他点を最下流部分とする溝傾斜が設けられて、溝形成部３４で受け止めた湯水が最下流部分に向かって流水するようにされている。また、溝形成部３４は、一部に仕切り板３４０が取り付けられている。また、溝形成部３４は、最下流部分が切り欠かれている。
【００３５】
排水用アダプタ３６は、図６に示すように、溝形成部３４の切欠部分に嵌め込まれ、変性シリコーン樹脂系シーリング剤などを用いて止水状態に接着固定されている。また、排水用アダプタ３６は、排水用ホース（図示せず）と接続するためのノズル３６０が外方に向かって突き出ている。排水用ホースは、ノズル３６０から、後述する洗い場パン４の排水口４１０又は洗い場排水口４３の下部に設けられている排水トラップ（図示せず）まで引きまわされている。排水用アダプタ３６及びこれに接続する排水用ホースは、排水路となり、溝形成部３４を流れる湯水を外部に排水する。
【００３６】
追い焚き用アダプタ３５は、金属製の配管器具であり、洗い場パン４側の浴槽側壁３１に取り付けられている。また、追い焚き用アダプタ３５は、浴槽側壁３１の外周面から内周面に貫通するように取り付けられている。また、追い焚き用アダプタ３５は、浴槽側壁３１の内周面側に取水口（図示せず）と吐水口（図示せず）とを備えている。また、追い焚き用アダプタ３５は、浴槽側壁３１の外周面側に取水用接続ノズル３５０と吐水用接続ノズル３５１とを備える。取水用接続ノズル３５０は、取水用ホース（図示せず）と接続し、取水口から取り込んだ浴槽３の湯水を循環式湯沸かし装置（図示せず）へ送水する。また、吐水用接続ノズル３５１は、吐水用ホース（図示せず）と接続し、循環式湯沸かし装置により温められた湯水を浴槽３内へと送水する。追い焚き用アダプタ３５は、浴槽側壁３１との取付箇所が変性シリコーン樹脂系シーリング材などを用いて水密状態に接着固定されている。
【００３７】
洗い場パン４は、洗い場面４０と、堤防部４１と、立上がり壁４２と、洗い場排水口４３とを備える。洗い場パン４は、本体が平面視略四角形の板状の部材である。洗い場面４０は、本体の上面に形成され、浴槽３側の辺から立ち上がる堤防部４１と、その他の三方の辺から立ち上がる立上がり壁４２とにより全周が囲まれている。堤防部４１は、浴槽下部保温材３３の上端面より高い位置まで立ち上がっている。また、堤防部４１は、上端面に僅かな凹みが形成されている。また、堤防部４１は、排水用ホースを引き出すための排水口４１０が厚み方向に貫通している。洗い場排水口４３は、堤防部４１の近傍に形成され、その下部に排水トラップが設置されている。排水トラップは、下水管に繋がっている。洗い場面４０は、立上がり壁４２から洗い場排水口４３に向かって面傾斜が設けられている。面傾斜は、例えば、排水口４１０から排水されて洗い場面４０に流れた湯水を洗い場排水口４３に導水する。
【００３８】
バスエプロン５は、点検口５０と、上端取付片５１と、下端取付片５２と、下端リブ５３とを備える。バスエプロン５は、洗い場パン４側から見て略四角形の板状の部材であり、浴槽３と同様に、ガラス繊維強化プラスチックで形成されている。点検口５０は、バスエプロン５の下端寄りに大きく開口しており、洗い場パン４側から浴槽３側に貫通している。また、点検口５０は、保守点検時には、作業者がバスエプロン５の裏側の空間にアクセスすることができるよう、エプロン蓋（図示せず）が外されている。点検口５０は、保守点検以外の通常時には、エプロン蓋により水密に閉塞されている。エプロン蓋は、点検口５０に嵌り込む形状をした板部材であり、その周縁部に水密材が取り付けられている。
【００３９】
上端取付片５１は、図４に示すように、バスエプロン５の上端部が洗い場パン４側に向かって屈曲することにより形成されている。また、上端取付片５１は、浴槽３のフランジ３０の下面部分に接触し、スライドしながら嵌り込み、フランジ３０の返しにより洗い場パン４側に倒れないように固定されている。
【００４０】
下端取付片５２は、バスエプロン５の下端部が浴槽３側に向かって屈曲することにより形成されている。また、下端取付片５２は、堤防部４１の上端面の凹みに嵌り込む。また、下端取付片５２は、上面に下端リブ５３が複数突き出て、下端リブ５３に仕切られた仕切空間を有している。下端リブ５３は、水受けパン１の全幅とほぼ同じ間隔で突き出し、仕切空間は、水受けパン１がぴたりと嵌り込むような寸法となっている。
【００４１】
給湯給水管６は、下管部６０と、配管接続部６１と、上管部６２と、バスエプロン接続部６３とを備える。下管部６０は、外部から浴槽３と設置面との間の空間に引き込まれ、そこから浴槽３とバスエプロン５との間を通り、堤防部４１の上端面より高い位置まで立ち上がっている。また、下管部６０は、配管接続部６１を介して上管部６２と接続している。上管部６２は、バスエプロン５側に屈曲し、バスエプロン５に設けられたバスエプロン接続部６３に接続されている。また、上管部６２は、バスエプロン接続部６３から浴室の洗い場水栓（図示せず）まで引きまわされている。
【００４２】
このように、浴室ユニット構造は、複数の構成要件を備える。そこで、浴室ユニット構造における、水受けパン１とその他の構成要件との取付状態について以下説明する。まず、水受けパン１が装着される前に、浴槽３と洗い場パン４とが並ぶように設置される。次に、バスエプロン５がフランジ３０と堤防部４１との間に装着される。
【００４３】
次に、水受けパン１が図２、図４及び図５に示すように取り付けられる。水受けパン１は、バスエプロン５の点検口５０からバスエプロン５と浴槽側壁３１との間の空間に入れられ、給湯給水管６の下管部６０の上端部が開口部１２から突き出るように取り付けられる。そして、立上がりブーツ２が配管貫通孔２１から下管部６０が突き出るように開口部１２に嵌め込まれ、蓋部２０が開口部１２を閉塞する。下管部６０は、配管貫通孔２１の蛇腹部分により水密に取り付けられる。また、下管部６０は、上端部に配管接続部６１が取り付けられ、配管接続部６１を介して上管部６２に接続される。
【００４４】
また、水受けパン１は、図４に示すように、切欠部１３の下面が溝形成部３４の外周側溝壁の上端に載せられ、切欠部１３の端縁１３０が溝形成部３４の上方にくるように配置される。また、水受けパン１は、バスエプロン５の下端取付片５２の仕切空間に嵌め込まれる。更にまた、水受けパン１は、突片１４がバスエプロン５の点検口５０の下端縁に掛かるように取り付けられる。最後に、エプロン蓋は、点検口５０に嵌め込まれ、水密材
により水密に密閉されている。
【００４５】
このように水受けパン１が取り付けられることにより、各構成要件は、以下のように作用する。追い焚き用アダプタ３５から漏れた湯水は、溝形成部３４及び水受けパン１の第１水受け面１０により受け止められる。また、給湯給水管６の配管接続部６１及びバスエプロン接続部６３から漏れた湯水は、水受けパン１の第２水受け面１１０により受け止められる。また、点検口５０とエプロン蓋との隙間から侵水して点検口５０付近に流れ落ちる湯水、及び、点検作業により点検口５０付近に流れ落ちる湯水は、水受けパン１の第１水受け面１０により受け止められる。
【００４６】
第１水受け面１０及び第２水受け面１１０で受け止められた湯水は、排水勾配により切欠部１３に導水され、切欠部１３の端縁１３０から下方の溝形成部３４に流れ落ちる。溝形成部３４に流れ落ちた湯水は、仕切り板３４０により仕切られ、溝形成部３４の最下流部分に向けて流水する。溝形成部３４の最下流部分に到達した湯水は、排水用アダプタ３６を介して排水用ホースを通り、洗い場パン４の排水口４１０に導かれ、排水口４１０から洗い場面４０を介して洗い場排水口４３へ導水される。また、排水用ホースが洗い場排水口４３の下部に設けられた排水トラップに引きまわされている場合には、直接、排水トラップへ導水される。
【００４７】
水受けパン１は、バスエプロン５の下端取付片５２の仕切空間に嵌め込まれることにより、ネジが用いられることなく取り付けられる。また、水受けパン１は、突片１４がバスエプロン５の点検口５０の下端縁に掛かるように取り付けられることにより、点検口５０付近の位置に正確に固定され、点検口５０付近に流れ落ちた湯水を確実に受け止める。
【００４８】
水受けパン１は、追い焚き用アダプタ３５と給湯給水管６との配置位置が近いほど、大きさを抑えることができ、費用コストを下げることができる。
【００４９】
実施の形態２．
上述した実施の形態にあっては、配管器具として追い焚き用アダプタ３５を一例として説明した。しかし、本願発明は、これに限定されるものでなく、浴槽側壁３１にジェット噴流用アダプタのみならずジェット噴流用アダプタが貫通するように取り付けられてもよい。
【００５０】
実施の形態２において、追い焚き用アダプタ３５から漏れた湯水は、溝形成部３４及び水受けパン１の第１水受け面１０により受け止められる。また、ジェット噴流用アダプタから漏れた湯水は、溝形成部３４により受け止められる。また、給湯給水管６の配管接続部６１及びバスエプロン接続部６３から漏れた湯水は、水受けパン１の第２水受け面１１０により受け止められる。また、点検口５０とエプロン蓋との隙間から浸水して点検口５０付近に流れ落ちる湯水、及び、点検作業により点検口５０付近に流れ落ちる湯水は、水受けパン１の第１水受け面１０により受け止められる。
【００５１】
なお、その他の構成及び作用については、上述の実施の形態１と同様であるから、対応する箇所に同一の符号を付してその説明を省略する。
【００５２】
実施の形態３．
上述した実施の形態にあっては、水受けパン１の第１水受け面１０と第２水受け面１１０とが一体となっている一例を説明した。しかし、本発明は、これに限定されることなく、例えば、第１水受け面１０と、第２水受け面１１０とが独立し、分離して配置されてもよい。
【００５３】
図７に示すように、水受けパン１は、第１水受けパン１ａと第２水受けパン１ｂとからなる。第１水受けパン１ａは、第１水受け面１０と、その周囲を囲む立上がり片１１と、立上がり片１１の一部を切り欠いた切欠部１３と、第１水受け面１０から突き出た突片１４とを備えるトレー状の部材である。
【００５４】
第１水受け面１０は、平面視略Ｌの字形をしており、Ｌの字の縦部分に切欠部１３が形成されている。立上がり片１１は、切欠部１３と突片１４との部分を除き、第１水受け面１０の周縁部から垂直方向に立ち上がる。切欠部１３は、立上がり片１１の一部が切り欠かれることにより形成されている。また、突片１４は、第１水受け面１０のＬの字の横部分から立ち上がる立上がり片１１が切り欠かれ、その切欠部分から水平方向に突き出ている。第１水受け面１０は、切欠部１３付近を下流とし、それとは反対側の端を上流とする排水勾配が形成されている。排水勾配は、第１水受け面１０で受け止めた湯水が切欠部１３に流れるように傾斜の角度及び方向が決められている。具体的には、排水勾配は、図７に示す矢印Ｂ乃至Ｅのように傾斜が形成されている。
【００５５】
また、第２水受けパン１ｂは、第２水受け面１１０と、その周囲を囲む立上がり片１１と、立上がり片１１の一部を切り欠いた落ち口１５と、第２水受け面１１０の一部を開口する開口部１２とを備える。
【００５６】
第２水受け面１１０は、一部に開口部１４が形成されている。立上がり片１１は、第２水受け面１１０の周縁部及び開口部１２の開口縁から垂直方向に立ち上がる。第２水受け面１１０は、落ち口１５が下流となる排水勾配が形成されている。具体的には、排水勾配は、図７に示すＡのように傾斜が形成されている。
【００５７】
立上がりブーツ２は、開口部１２と同形であって僅かに大径の蓋部２０と、蓋部２０に開けられた配管貫通孔２１と、蓋部２０の周縁部から垂れ下がるリブ２２とを備える。立上がりブーツ２は、リブ２２の内周面が開口部１２の立上がり片１１の外周面にスライド接触して嵌り込み、蓋部２０が開口部１２を閉塞する。配管貫通孔２１は、開口縁から蛇腹部分が伸び出ている。
【００５８】
第１水受けパン１ａ及び第２水受けパン１ｂは、バスエプロン５の点検口５０からバスエプロン５と浴槽側壁３１との間の空間に入れられる。第２水受けパン１ｂは、給湯給水管６の下管部６０の上端部が開口部１２から突き出るように取り付けられる。そして、立上がりブーツ２が配管貫通孔２１から下管部６０が突き出るように開口部１２に嵌め込まれ、蓋部２０が開口部１２を閉塞する。下管部６０は、上端部に配管接続部６１が取り付けられ、配管接続部６１を介して上管部６１に接続される。一方、第１水受けパン１ａは、切欠部１３の下面が溝形成部３４の外周側溝壁の上端に載せられ、切欠部１３の端縁１３０が溝形成部３４の上方にくるように配置される。また、第１水受けパン１は、バスエプロン５の下取付片５２上の凹み空間に嵌め込まれる。更にまた、第１水受けパン１ａは、突片１４がバスエプロン５の点検口５０の下端縁に掛かるように取り付けられている。このとき、第２水受けパン１ｂは、第１水受けパン１ａより高い位置に配置され、且つ、落ち口１５が第１水受けパン１ａの第１水受け面１０の上方にくるように配置される。また、第２水受けパン１ｂは、立上がりブーツ２の配管貫通孔２１が下管部６０の管周面を水密状態となるように押さえ付けている作用により、その配置位置に固定されている。
【００５９】
第１水受けパン１ａは、追い焚き用アダプタ３５から漏れた湯水及び点検作業により点検口５０付近に流れ落ちる湯水を受け止める。第２水受けパン１ｂは、給湯給水管６の配管接続部６１及びバスエプロン接続部６３から漏れた湯水を受け止める。
【００６０】
第２水受けパン１ｂで受け止められた湯水は、第２水受け面１１０の排水勾配により落ち口１５に導水され、落ち口１５から下方の第１水受けパン１ａに流れ落ちる。第１水受けパン１ａで受け止められた湯水は、第１水受け面１０の排水勾配により切欠部１３に導水され、切欠部１３の溝端１３０から下方の溝形成部３４に流れ落ちる。溝形成部３４に流れて落ちた湯水は、仕切り板３４０により仕切られ、溝形成部３４の最下流部分に向けて流水する。溝形成部３４の最下流部分に到達した湯水は、排水用アダプタ３６を介して排水用ホースを通り、洗い場パン４の排水口４１０に導かれ、排水口４１０から洗い場面４０を介して洗い場排水口４３へと導水される。また、排水用ホースが洗い場排水口４３の下部に設けられた排水トラップに引きまわされている場合には、直接、排水トラップへと導水される。
【００６１】
その結果、第２水受け面１１０は、浴室ユニットの設置場所毎に異なる給湯給水管６の立ち上がり方に応じて、配管接続部６１及びバスエプロン接続部６３の直下を通るように最適な位置に配置され、確実に漏水を受け止めることができる。この場合、部品点数が増えるが、少なくとも組立工数を抑えることができる。
【００６２】
なお、その他の構成については、上述の実施の形態１と同様であるから、対応する箇所に同一の符号を付してその説明を省略する。
【００６３】
以下に、本発明の具体的な実施例を説明する。なお、全て実施例において、浴室ユニット構造は、ハーフパネルタイプの浴室ユニットであり、浴槽側壁３１に追い焚き用アダプタ３５とジェット噴流用アダプタとを備え、浴槽３から少し離れた位置に給湯給水管６が配置され、バスエプロン５に点検口５０を備える。
【００６４】
（実施例）
上述した実施の形態と同じ構成である。即ち、水受けパン１が、追い焚き用アダプタ３５と給湯給水管６との直下を通るように配置されると同時に、点検口５０の下端部に掛かるように取り付けられている。また、浴槽側壁３１の回りに溝形成部３４を備える。そして、追い焚き用アダプタ３５、給湯給水管６の配管接続部６１及びバスエプロン接続部６３から漏れた湯水は、水受けパン１で受け止められ、切欠部１３を介して溝形成部３４へと流れる。また、点検口５０付近に流れ落ちる湯水は、水受けパン１で受け止められ、切欠部１３を介して溝形成部３４へと流れる。また、ジェット噴流用アダプタから漏れた湯水は、溝形成部３４で受け止められる。
【００６５】
（比較例１）
上述する特許文献１に記載された浴室システム構造である。追い焚き用アダプタ３５の直下のみに、漏れた湯水を受け止める水受け部材が設けられている。その他の漏水危険箇所には、水受け部材が設けられていない。
【００６６】
（比較例２）
上述する特許文献２に記載された浴室システム構造である。浴槽側壁３１の回りに溝形成部３４を備える。溝形成部３４は、追い焚き用アダプタ３５とジェット噴流用アダプタから漏れた湯水を受け止める。その他の漏水危険箇所には、水受け部材が設けられていない。
【００６７】
（比較例３）
上述する特許文献３に記載された浴室システム構造である。給湯給水管６の直下のみに、漏れた湯水を受け止める水受け部材が設けられている。その他の漏水危険箇所には、水受け部材が設けられていない。
【００６８】
これらの浴室システム構造について、漏水危険箇所から漏れた湯水を受け止めるができるか否かについての止水性と、浴室システムを現場で容易に組み立てることができるか否かについての組立性と、浴室システムにかかる費用コストを抑えることができるか否かについてのコスト性とを比較する。以下、その結果を一覧にして示す。なお、一覧において、「給水給湯配管接続部」は、給湯給水管６の配管接続部６１及びバスエプロン接続部６３に対応する。また、「追焚きアダプター取付部」は、追い焚き用アダプタ３５の取付箇所に対応する。また、「追焚きアダプター配管接続部」は、取水用接続ノズル３５０及び排水用接続ノズル３５１とに対応する。また、「噴流配管接続部」は、ジェット噴流用アダプタに対応する。また、「エプロン点検口部」は、バスエプロン５の点検口５０に対応する。
また、丸記号は、極めて良好を意味し、三角記号は、良好を意味し、ばつ記号は、不良を意味する。
【００６９】
【表１】
0005598987.tif 000002
【符号の説明】
【００７０】
１  水受けパン
１０  第１水受け面
１１０  第２水受け面
１１  立上がり片
１２  開口部
１３  切欠部
１３０  端縁
１４  突片
２  立上がりブーツ
２０  蓋部
２１  配管貫通孔
２２  リブ
３  浴槽
３０  フランジ
３１  浴槽側壁
３３  浴槽下部保温材
３４  溝形成部
３５  追い焚き用アダプタ（配管器具）
３６  排水用アダプタ
４  洗い場パン
４０  洗い場面
４１  堤防部
４３  洗い場排水口
５  バスエプロン
５０  点検口
５１  上端取付片
５２  下端取付片
５３  下端リブ
６  給湯給水管
６１  配管接続部
６３  バスエプロン接続部
【図１】
0005598987.tif 000003
【図２】
0005598987.tif 000004
【図３】
0005598987.tif 000005
【図４】
0005598987.tif 000006
【図５】
0005598987.tif 000007
【図６】
0005598987.tif 000008
【図７】
0005598987.tif 000009